(57)【要約】【課題】構成要素を一切大型化することなく、表示窓の表示面積を拡大することができ、小さな表示板の脱落を防止して組立作業効率の向上させることができるシリンダ錠を提供する。【解決手段】解錠状態と施錠状態とを色により表示するシリンダ錠１であって、外筒２０は、シリンダ錠本体１０の収納空間２２ａの前端に位置する段差状の載置面２２ｂを有し、シリンダ錠本体１０は、フランジ部１１及び内筒１２の境界に、内筒１２の外周に沿って円弧状の取付溝１２ａを設けるとともに、フランジ部１１の一部を、少なくとも取付溝１２ａの底面に達するところまで切り欠いて表示窓１１ｂを形成し、表示板３０は、取付溝１２ａに挿入され、取付溝１２ａの底面に達する垂直部３１と、載置面２２ｂに載置されつつ、内筒１２の外周面に沿う水平部３２とを連成した断面略Ｌ字形であり、これら垂直部３１及び水平部３２が色分けされた円弧状の正面３３を形成する構成となっている。【選択図】図２
2011094411.tif 000002
【特許請求の範囲】
【請求項１】
鍵孔及び錠構造を有するシリンダ錠本体と、このシリンダ錠本体を内部に収納する外筒と、これらシリンダ錠本体及び外筒の間に介設された表示板とを備え、解錠状態と施錠状態とを色によって表示するシリンダ錠であって、
前記外筒は、前記シリンダ錠本体の収納空間と、この収納空間の前端に位置する段差状の載置面とを有し、
前記シリンダ錠本体は、前記鍵孔が開口する大径のフランジ部と、前記錠構造が組み込まれた小径の内筒とを有し、前記フランジ部及び前記内筒の境界に、前記内筒の外周に沿って円弧状の取付溝を設けるとともに、前記フランジ部の一部を、少なくとも前記取付溝の底面に達するところまで切り欠いて表示窓を形成し、
前記表示板は、前記取付溝に挿入され、該取付溝の底面に達する垂直部と、前記載置面に載置されつつ、前記内筒の外周面に沿う水平部とを連成した断面略Ｌ字形であり、これら垂直部及び水平部が色分けされた円弧状の正面を形成する、ことを特徴とするシリンダ錠。
【請求項２】
前記シリンダ錠本体のフランジ部の裏側には、前記表示板の端部に当接して該表示板を正逆方向に回動させる駆動突起を設けるとともに、前記外筒の載置面には、前記表示板の回動範囲を制限する位置決め突起を設け、
これら駆動突起及び位置決め突起の突出量の合計を、前記表示板の水平部の厚さの範囲内とし、両者の設置位置に高低差をもたせて、両者が互いに衝突しないようにした、請求項１記載のシリンダ錠。
【請求項３】
前記表示板を１８０°の円弧状とし、少なくとも正面の半分を第１の色に着色して解錠表示部、残り半分を第２の色に着色して施錠状態表示部を形成し、
前記外筒の載置面には、前記表示板の回動範囲を９０°に制限し、前記解錠表示部を第１の位置に位置決めするとともに、前記施錠表示部を第１の位置から１８０°回動した第２の位置に位置決めする前記位置決め突起を突設し、
前記シリンダ錠本体のフランジ部における前記第１又は第２の位置に対応する位置に、前記解錠表示部及び前記施錠状態表示部とそれぞれとほぼ同形の前記表示窓を形成するとともに、該フランジ部の裏面には、該フランジ部が正逆方向に１８０°回転したときに、前記表示板を９０°回動させる前記駆動突起を設けた、請求項２記載のシリンダ錠。
【請求項４】
前記内筒の前端面に、前記取付溝内に突出する円弧状の微小凸部を設けるとともに、前記表示板の垂直部の一端から他端に亘って、前記微小突起と係合する円弧状の微小凹部を形成した、請求項１〜３いずれか記載のシリンダ錠。
【発明の詳細な説明】
【技術分野】
【０００１】
本発明は、解錠状態と施錠状態とを色によって表示する表示窓を備えたシリンダ錠に関し、特に、表示窓の面積を拡大することができるとともに、組立作業効率の向上を図ることができるシリンダ錠に関する。
【背景技術】
【０００２】
従来のシリンダ錠は、主として、鍵孔及び錠構造を有する金属製のシリンダ錠本体と、このシリンダ錠本体を内部に収納する金属製の外筒とを備えた構成となっており、例えば、自動車のドアパネル、ＡＴＭなどの電子機器の筐体、事務机やラックなどのオフィス家具等に広く用いられている。
【０００３】
このようなシリンダ錠には、解錠状態と施錠状態とを色によって表示する表示窓を備えたものがある。例えば、本出願人は、特許第４２４８０３２号公報（特許文献１）において、切欠状の表示窓と、２色に着色した表示板とを重ね合わせる構成のシリンダ錠を提案している。
【０００４】
特許文献１の図８に開示されているように、従来のシリンダ錠は、外筒１とシリンダ錠本体を構成する内筒２との間に、略１８０°円弧状の表示板６を備えている。この表示板６の半分は、解錠状態を表示する第１の色（例えば「青」）、残り半分は施錠状態を表示する第２の色（例えば「赤」）に着色されている。このような表示板６は、内筒２の前端部外周に配置され、突出する鍔部４の裏面に重ね合わされる。この鍔部４の上部には、略６０°円弧状の切欠である表示窓５が設けてある。また、鍔部の裏面には、表示板６を回動させるための内筒ストッパ９が突設してある。
【０００５】
このような従来のシリンダ錠は、特許文献１の図５又は図７に示されているように、解錠状態のときには、表示窓５が表示板６の第１の色と重なり合い、この第１の色によって解錠状態であることが表示される。一方、鍔部４に開口する鍵孔８に鍵を挿し込み、シリンダ錠本体（鍔部４及び内筒２）を９０°又は１８０°回転させて施錠状態にすると、鍔部４の回転に伴って表示窓５が９０°又は１８０°移動する。このとき、鍔部４裏面の内筒ストッパ９が表示板６を４５°又は９０°回動させ、表示窓５と第２の色とを重ね合わせる。この第２の色によって施錠状態であることが表示される。
【０００６】
その他、表示板に表示窓を重ね合わせて解錠状態及び施錠状態を表示する従来のシリンダ錠として、例えば、特開２００３−３０１６３４号公報（特許文献２）、特開平１１−１９３６５６号公報（特許文献３）及び特開平９−２５７５１号公報（特許文献４）に開示されているようなものがある。
【先行技術文献】
【特許文献】
【０００７】
【特許文献１】特許第４２４８０３２号公報
【特許文献２】特開２００３−３０１６３４号公報
【特許文献３】特開平１１−１９３６５６号公報
【特許文献４】特開平９−２５７５１号公報
【発明の概要】
【発明が解決しようとする課題】
【０００８】
ところが、上述した特許文献１〜３のシリンダ錠は、いずれも内筒の前端部外周に表示板を配置する構成となっていたので、表示板の幅を、鍔部（フランジ部）の突出幅以上に拡大することができなかった。また、表示窓の幅及び長さは、表示板と重なり合ったときの誤差を考慮して、表示板の表示部分（第１又は第２の色に着色した部分）の幅及び長さよりも若干小さくなっており、表示窓の表示面積は、極めて狭小なものであった。このため、従来のシリンダ錠では、正面から見たときに表示窓の色を確認することはできたが、斜め方向から見たときに表示窓の色を確認することができないという問題があった。
【０００９】
特に、シリンダ錠の施錠対象物が、事務机などの引き出しだった場合、椅子に着座した状態で、斜め方向から表示窓の色を確認することは極めて困難であった。
【００１０】
また、シリンダ錠の製造工程において、外筒と内筒の間に小さな表示板を介在させながら、外筒内に内筒を挿入して組み付ける作業が困難であり、表示板の脱落が組立作業効率を低下させるという問題もあった。
【００１１】
ここで、引用文献４のシリンダ錠は、その図２、８及び１０に示されているように、内筒２前端の鍔部２ａ表面に表示板３を設けた構成としてあるので、この鍔部２ａの範囲内（鍵孔８の部分を除いた範囲内）で表示板３の面積を拡大することが可能である。
【００１２】
しかし、引用文献４のシリンダ錠では、鍔部２ａの表面全体を覆うケースカバー４が必須であり、シリンダ錠の前端側が大型化するとともに、構造の複雑化をまねくという問題があった。特に、ケースカバー４で覆われた部分は、引き出し等の施錠対象物に取り付けた後、シリンダ錠の外観を構成するものであり、大型化することは望ましくない。結局、表示面積を拡大するために鍔部２ａの面積を大きくすれば、鍔部２ａよりもケースカバー４を大きくし、ケースカバー４よりも外筒１の鍔部１ａを大きくしなければならず、シリンダ錠全体が大型化してしまう。
【００１３】
本発明は、上記問題点に鑑みてなされたものであり、構成要素を一切大型化することなく、表示窓の表示面積を拡大することができ、小さな表示板の脱落を防止して組立作業効率の向上させることができるシリンダ錠の提供を目的とする。
【課題を解決するための手段】
【００１４】
上記目的を達成するために、本発明のシリンダ錠は、鍵孔及び錠構造を有するシリンダ錠本体と、このシリンダ錠本体を内部に収納する外筒と、これらシリンダ錠本体及び外筒の間に介設された表示板とを備え、解錠状態と施錠状態とを色によって表示するシリンダ錠であって、前記外筒は、前記シリンダ錠本体の収納空間と、この収納空間の前端に位置する段差状の載置面とを有し、前記シリンダ錠本体は、前記鍵孔が開口する大径のフランジ部と、前記錠構造が組み込まれた小径の内筒とを有し、前記フランジ部及び前記内筒の境界に、前記内筒の外周に沿って円弧状の取付溝を設けるとともに、前記フランジ部の一部を、少なくとも前記取付溝の底面に達するところまで切り欠いて表示窓を形成し、前記表示板は、前記取付溝に挿入され、該取付溝の底面に達する垂直部と、前記載置面に載置されつつ、前記内筒の外周面に沿う水平部とを連成した断面略Ｌ字形であり、これら垂直部及び水平部が色分けされた円弧状の正面を形成する構成としてある。
【００１５】
上記構成によれば、内筒の外周に沿って円弧状の取付溝を設けたことにより、表示板の幅を取付溝の深さの分だけ内側に大きくすることができる。そして、取付溝の底面に達するところまで表示窓を切り欠くことにより、表示窓の下縁部及び上縁部が、表示板と重複しなくなり、幅を大きくした表示板の下縁部から上縁部を全て視認可能とすることができる。
【００１６】
この結果、特許文献１のシリンダ錠と比較して、表示窓の表示面積を幅方向に１．５〜２倍程度拡大することができ、斜め方向から見たときに表示窓の色が視認しやすくなる。このような表示窓の表示面積の拡大に伴って、フランジ部等の構成要素を一切大型化する必要はない。
【００１７】
さらに、本発明では、表示板の垂直部を取付溝に挿入する構成としてあるので、微小部品である表示板を、予め内筒外周に組み付けた状態で外筒に挿入することができ、表示板の脱落を防止しつつ、シリンダ錠の組立作業効率の向上させることができる。
【００１８】
好ましくは、前記シリンダ錠本体のフランジ部の裏側には、前記表示板の端部に当接して該表示板を正逆方向に回動させる駆動突起を設けるとともに、前記外筒の載置面には、前記表示板の回動範囲を制限する位置決め突起を設け、これら駆動突起及び位置決め突起の突出量の合計を、前記表示板の水平部の厚さの範囲内とし、両者の設置位置に高低差をもたせて、両者が互いに衝突しないようにした構成とする。
【００１９】
上記構成によれば、駆動突起によって表示板を回動させ、回動する表示板を位置決め突起に当接させて、正確な位置で停止させることができる。これにより、表示窓と表示板の位置ずれが極めて小さくなり、表示窓の長さを、表示板の表示部分の長さとほぼ同じにすることが可能となる。この結果、表示窓の表示面積を長さ方向に拡大することができる。
【００２０】
また、駆動突起と位置決め突起とは、表示板の水平部の厚さの範囲内に収まる微小突起であり、両者を互いに衝突しない高さに設けるといった簡単な構成で、上述した表示板の回動及び正確な停止制御を実現することができる。
【００２１】
好ましくは、前記表示板を１８０°の円弧状とし、少なくとも正面の半分を第１の色に着色して解錠表示部、残り半分を第２の色に着色して施錠状態表示部を形成し、前記外筒の載置面には、前記表示板の回動範囲を９０°に制限し、前記解錠表示部を第１の位置に位置決めするとともに、前記施錠表示部を第１の位置から１８０°回動した第２の位置に位置決めする前記位置決め突起を突設し、前記シリンダ錠本体のフランジ部における前記第１又は第２の位置に対応する位置に、前記解錠表示部及び前記施錠状態表示部とそれぞれとほぼ同形の前記表示窓を形成するとともに、該フランジ部の裏面には、該フランジ部が正逆方向に１８０°回転したときに、前記表示板を９０°回動させる前記駆動突起を設けた構成とする。
【００２２】
上記構成は、本発明のシリンダ錠を１８０°回転錠とした場合の具体例である。このような構成によれば、解錠状態のときには、幅方向及び長さ方向に拡大された表示窓が、第１の位置（例えば「上」）に配置され、位置決め突起によって第１の位置に位置決めされた第１の色の解錠表示部が大きく表示される。そして、鍵孔に鍵を挿入してシリンダ錠本体を施錠方向（例えば「時計回り」）に回転させると、表示窓も施錠方向に回転する。シリンダ錠本体が９０°回転したところで、位置決め突起の一端が表示板の他端に当接し、表示板を施錠方向に回動させる。その後、更に９０°回転したところでシリンダ錠本体が施錠状態となり、表示窓が第２の位置に配置される。これ同時に、表示板の一端が位置決め突起に当接し、施錠表示部が第２の位置に位置決めされる。この結果、第２の位置において、表示窓に第２の色の施錠表示部が大きく表示される。
【００２３】
好ましくは、前記内筒の前端面に、前記取付溝内に突出する円弧状の微小凸部を設けるとともに、前記表示板の垂直部の一端から他端に亘って、前記微小突起と係合する円弧状の微小凹部を形成した構成とする。
【００２４】
上記構成によれば、微小凸部と微小凹部との係合によって、回動中の表示板がガイドされ、回動中の表示板のがたつきを減少させ、回動をスムーズにすることができる。また、微小凸部と微小凹部との係合によって、表示板を取付溝から脱落しないようにすることができ、表示板の内筒への組み付け、及び表示板を組み付けた内筒の外筒への組み付けが共に容易となり、シリンダ錠の組立作業効率をより向上させることが可能となる。
【発明の効果】
【００２５】
本発明のシリンダ錠によれば、構成要素を一切大型化することなく、表示窓の表示面積を拡大することができ、小さな表示板の脱落を防止して組立作業効率の向上させることができる。
【図面の簡単な説明】
【００２６】
【図１】本発明の第１実施形態に係るシリンダ錠を示す斜視図である。
【図２】本シリンダ錠の分解斜視図である。
【図３】本シリンダ錠の部分断面正面図である。
【図４】本シリンダ錠の側面断面図である。
【図５】同図（ａ）〜（ｂ）は本シリンダ錠の解錠状態から施錠状態を示す正面図である。
【図６】同図（ａ）〜（ｂ）は本シリンダ錠の解錠状態から施錠状態を示す部分断面正面図である。
【図７】本発明の第２実施形態に係るシリンダ錠を示す斜視図である。
【発明を実施するための形態】
【００２７】
以下、本発明の第１実施形態に係るシリンダ錠について、図１〜６を参照しつつ説明する。
【００２８】
図１及び図２において、本実施形態に係るシリンダ錠１は、シリンダ錠本体１０と、このシリンダ錠本体１０を内部に収納する外筒２０と、これらシリンダ錠本体１０及び外筒２０の間に介設された表示板３０とを備え、解錠状態と施錠状態とを異なる色によって表示する構成となっている。このような本シリンダ錠１は、施錠対象物を構成する板部材、例えば、オフィス家具などの鋼製の扉、引出しの鏡板に設けた開口部に前方から挿入して取り付ける。以下、本シリンダ錠１を構成するシリンダ錠本体１０、外筒２０及び表示板３０について詳述する。
【００２９】
[シリンダ錠本体]
図２〜４に示すように、シリンダ錠本体１０は、主として、金属製の内筒１２の前端に、大径のフランジ部１１を連成した構成となっている。フランジ部１１の正面には、鍵孔１１ａが開口しており、この鍵孔１１ａは内筒１２の内部を貫通している。このようなフランジ部１１は、シリンダ錠本体１０を外筒２０に収納したとき、外筒２０の環状の前端面と面一になる。
【００３０】
ここで、内筒１２のフランジ部１１との境界には、内筒１２の外周に沿って円弧状の取付溝１２ａが設けてある。この取付溝１２ａは、表示板３０の下端縁と同じ曲率の円弧状となっており、この取付溝１２ａを設けたことによって、表示板３０の幅を取付溝の深さの分だけ内側に大きくすることができる。
【００３１】
また、取付溝１２ａは、表示板３０を内筒１２に安定的に保持し、その回動をガイドする役割を果たす。これに加え、本実施形態では、表示窓１１ｂから露出している内筒１２の前端面に、略４５°円弧状の微小突起１２ｂが突設してある。取付溝１２ａに表示板３０を挿入すると、表示板３０の後述する微小凹部３１ａが微小突起１２ｂと係合する。これにより、微小部品である表示板３０を取付溝１２ａに組み付けることができ、表示板３０の脱落を防止することができる。
【００３２】
フランジ部１１には、上縁部から取付溝１２ａの底面に達するところまでを、略６０°円弧状に切り欠いた表示窓１１ｂが形成してある。この表示窓１１ｂの形状は、表示板３０の正面３３の後述する解錠状態表示部３３Ａ、施錠状態表示部３３Ｂの各形状に対応している。図４に示すように、取付溝１２ａの底面に達するところまで表示窓１１ｂを切り欠くことにより、表示窓１２ａの下縁部及び上縁部が、表示板３０と重複しなくなり、取付溝１２ａの底面まで幅を大きくした表示板３０の下縁部から上縁部を全て視認可能とすることができる。
【００３３】
また、フランジ部１１の裏面における表示窓１１と反対側には、略９０°円弧状の駆動突起１１ｃが突設してある。この駆動突起１１ｃは、シリンダ錠本体１０の回転に伴って正逆方向に回転し、その一端部又は他端部を表示板３０に当接させて、表示板３０を回動させる。
【００３４】
一方、内筒１２の内部には、複数のタンブラー配置溝１２ｃ、１２ｃ、１２ｃ…が形成してあり、各タンブラー配置溝１２ｃには、それぞれタンブラー１３、１３、１３…が配置してある。本実施形態では、各タンブラー１３を金属製の小さな板部材とし、その中央に鍵孔１１ａと重複する開口（図示せず）を設けた構成としてある。
【００３５】
図示しないが、各タンブラー１３の一端側は、それぞれ内筒１２を貫通して外筒２０に当接し、内筒１２を外筒２０内で回動させないようロックしている。そして、鍵孔１１ａに適合する鍵（図示せず）を挿入し、全てのタンブラー１３、１３、１３…と外筒２０との当接が同時に解除されると、内筒１２が回転するようになっている。
【００３６】
内筒１２の後端面には、駆動ピン１４が突設してあり、この駆動ピン１４は、デッドボルト１５の短手方向に形成したガイド溝（図示せず）と係合している。適合する鍵によって各タンブラー１３のロックが解除され、内筒１２が回転すると、この回転運動が駆動ピン１４と前記ガイド溝とによって直線運動に変換され、デッドボルト１５が横方向に直線運動する。
【００３７】
[外筒]
図２〜４に示すように、外筒２０は、シリンダ錠本体１０を内部に収納する略円筒状の金属製ケースである。外筒２０は、主として、円筒本体である胴部２２の前端側に、大径の意匠部２１を連成した構成としてある。このような外筒２０を備えたシリンダ錠１は、図示しない施錠対象物に胴部２２とほぼ同径の開口部を設け、この開口部に前方から装入して取り付ける。本シリンダ錠１を前記開口部に挿入すると、意匠部２１の後端面が前記開口部周辺に当接する。
【００３８】
外筒２０の内部には、シリンダ錠本体１０の収納空間２２ａが形成してあり、この収納空間２２ａの前端には、段差状の載置面２２ｂが形成してある。この載置面２２ｂには表示板３０が載置される。ここで、図２及び図３に示すように、収納空間２２ａには、施錠状態において各タンブラー１３が当接する長手方向の溝２２ｆが形成してあり、この溝２２ｆを挟む載置面２２ｂ上の２箇所には、位置決め突起２２ｃ、２２ｃがそれぞれ突設してある。各位置決め突起２２ｃは、略１８０°円弧状の表示部３０の回動範囲を９０°に制限し、シリンダ錠本体１０が解錠及び施錠状態となったときに、表示部３０の一端又は他端に当接して表示部３０を正確に位置決めする。
【００３９】
また、外筒２０の胴部２２は、円筒の上部及び下部をそれぞれ長手方向に延びる平面にした外形となっており、各平面のほぼ中間には、横方向（図２において、胴部２３の長手方向と水平に直交する方向）に延びる角溝２２ｄ、２２ｄが形成してある。各角溝２２ｄには、前記開口部に挿入した本シリンダ錠１を固定するための図示しない保持手段（例えば、引き出しを構成する鋼板を折り曲げた弾性爪、二叉状の板ばね、合成樹脂製の係合爪等）が係合する。
【００４０】
さらに、胴部２２の両側面の後端側には、シリンダ錠本体１０のデッドボルト１５を挿通するための挿通孔２２ｅ、２２ｅが互いに対向するように形成してある。シリンダ錠本体３０の施錠及び解錠状態において、これら挿通孔２２ｅに挿入されたデッドボルト１５が図中の横方向に直線運動する。
【００４１】
[表示板]
図２及び図３に示すように、表示板３０は、全体が１８０°円弧状となっており、その半分を第１の色３３Ａ、残り半分を第２の色３３Ｂに着色してある。本実施形態では、表示板３０の半分及び残り半分を、それぞれ全て第１の色３３Ａ又は第２の色３３Ｂに着色しているが、少なくとも表示面である正面３３を半分ずつ異なる色に着色すればよい。
【００４２】
本実施形態において、表示板３０の正面３３のうち、第１の色３３Ａに着色した部分は解錠表示部（以下「解錠表示部３３Ａ」という）、第２の色３３Ｂに着色した部分は施錠表示部（以下「施錠表示部３３Ｂ」という）を形成する。このような表示板３０は、シリンダ錠本体１０及び外筒２０の間に介設され、シリンダ錠１が解錠状態のときは、表示窓１１ｂに解錠表示部３３Ａを対応させ、また、シリンダ錠１が施錠状態のときは、表示窓１１ｂに施錠表示部３３Ｂを対応させ、解錠状態と施錠状態とを異なる色によって表示する。例えば、解錠表示部３３Ａを「青」、施錠表示部３３Ｂを「赤」としてもよい。
【００４３】
図４に示すように、表示板３０の断面は、垂直方向に突出する肉厚の薄い垂直部３１と、水平方向に突出する肉厚の厚い水平部３２とが連成する略Ｌ字形となっている。垂直部３１は、シリンダ錠本体１０の取付溝１２ａに挿入され、その下端が取付溝１２ａの底面に達する。一方、水平部３２は、外筒２０の載置面２２ｂに載置されつつ、シリンダ錠本体１０の内筒１２の前端部外周に覆い被さっている。このような断面形状により、表示板３０は、内筒１２の取付溝１２ａにガイドされつつ、内筒１２の外周に沿ってスムーズに回動することが可能となっている。
【００４４】
また、表示板３０の垂直部３１には、その一端から他端に亘る１８０°円弧状の微小凹部３１ａが形成してある。この微小凹部３１ａは、内筒１２の前端面に設けた微小凸部１２ｂと同じ曲率となっており、垂直部３１を取付溝１２ａに挿入したとき、微小凹部３１ａの一部が微小凸部１２ｂに係合するようになっている。これにより、微小部品である表示板３０を取付溝１２ａに組み付けることができる。
【００４５】
[本シリンダ錠の表示動作]
次に、上記構成からなる本シリンダ錠１の表示動作について、図５（ａ）〜（ｃ）及び図６（ａ）〜（ｃ）を参照しつつ説明する。
【００４６】
まず、図５（ａ）に示す本シリンダ錠１の解錠状態について説明する。同図（ｃ）に示す本シリンダ錠１の施錠状態において、鍵孔１１ａに図示しない鍵を挿入し、シリンダ錠本体１０を反時計回りに１８０°回転させると、本シリンダ錠１が、図５（ａ）に示す解錠状態となる。本シリンダ錠１が解錠状態のときは、シリンダ錠本体１０の表示窓１１ｂに解錠表示部３３Ａ（例えば「青」）が表示される。
【００４７】
図５（ａ）に示す解錠状態のときの内部構造を図６（ａ）に示す。解錠状態では、フランジ部１１裏側の駆動突起１１ｃの一端が、表示板３０の施錠表示部３３Ｂ側の端部に当接するとともに、該表示板３０の解錠表示部３３Ａ側の端部が、図中斜め上の位置決め突起２２ｃに当接し、該解錠表示部３３Ａが、図５（ａ）に示す表示窓１１ｂの位置（図中の「上」）に正確に位置決めされる。
【００４８】
次いで、図５（ａ）に示す本シリンダ錠１の解錠状態からシリンダ錠本体１０を時計回りに１８０°回転させると、本シリンダ錠１は、図５（ｃ）に示す施錠状態となる。本シリンダ錠１が施錠状態のときは、シリンダ錠本体１０の表示窓１１ｂに施錠状態表示部３３Ｂ（例えば「赤」）が表示される。
【００４９】
図５（ａ）に示す解錠状態から図５（ｃ）に示す施錠状態となるまでの表示動作を、図６（ａ）〜（ｃ）を参照しつつ説明する。図６（ａ）に示す解錠状態からシリンダ錠本体１０を時計回りに９０°回転させると、図６（ｂ）に示すように、駆動突起１１ｃも時計回りに９０°回転し、その一端を表示板３０の施錠表示部３３Ｂ側の端部から離すとともに、各位置決め突起２２ｃと重複するところまで回転し、その他端を表示板の解錠表示部３３Ａ側の端部に当接させる。上述のとおり、駆動突起１１ｃと各位置決め突起２２ｃとは、互いに高低差をもって突設してあり、駆動突起１１が各位置決め突起２２ｃに衝突しないで、これらの上方を通過可能な構成となっている。この図６（ｂ）に示す状態では、表示板３０は、図６（ａ）に示す状態のまま回動せず、図５（ｂ）に示すように、シリンダ錠本体１０のみが時計回りに９０°回動する。
【００５０】
引き続き、シリンダ錠本体１０を時計回りに９０°回転させると、駆動突起１１ｃも時計回りに９０°回転し、該駆動突起１１ｃが表示板３０を時計回りに９０°回転させる。すると、図６（ｃ）に示すように、表示板３０の施錠表示部３３Ｂ側の端部が、図中斜め下の位置決め突起２２ｃに当接し、該解錠表示部３３Ａが、図５（ｃ）に示す表示窓１１ｂの位置（図中の「下」）に正確に位置決めされる。
【００５１】
[本シリンダ錠の作用効果]
以上説明したように、本実施形態に係るシリンダ錠１によれば、内筒１２の外周に沿って円弧状の取付溝１２ａを設けたことにより、表示板３０の幅を取付溝１２ａの深さの分だけ内側に大きくすることができる。そして、取付溝１２ａの底面に達するところまで表示窓１１ｂを切り欠くことにより、表示窓１１ｂの下縁部及び上縁部が、表示板３０と重複しなくなり、幅を大きくした表示板３０の下縁部から上縁部を全て視認可能とすることができる。
【００５２】
この結果、特許文献１のシリンダ錠と比較して、表示窓３０の表示面積を幅方向に１．５〜２倍程度拡大することができ、斜め方向から見たときに表示窓３０の色が視認しやすくなる。このような表示窓３０の表示面積の拡大に伴って、フランジ部１１等の構成要素を一切大型化する必要はない。
【００５３】
また、表示板３０の垂直部３１を取付溝１２ａに挿入する構成としてあるので、微小部品である表示板３０を、予め内筒１２外周に組み付けた状態で外筒２０に挿入することができ、表示板３０の脱落を防止しつつ、シリンダ錠１の組立作業効率の向上させることができる。
【００５４】
さらに、駆動突起１１ｃによって表示板３０を回動させ、回動する表示板３０を位置決め突起２２ｃに当接させて、正確な位置で停止させることができる。これにより、表示窓１１ｂと表示板３０の位置ずれが極めて小さくなり、表示窓１１ｂの長さを、表示板３０の表示部分の長さとほぼ同じにすることが可能となる。この結果、表示窓１１ｂの表示面積を長さ方向に拡大することができる。
【００５５】
これに加え、微小凸部１２ｂと微小凹部３１ａとの係合によって、回動中の表示板３０がガイドされ、回動中の表示板３０のがたつきを減少させ、回動をスムーズにすることができる。また、微小凸部１２ｂと微小凹部３１ａとの係合によって、表示板３０を取付溝１２ａから脱落しないようにすることができ、表示板３０の内筒１２への組み付け、及び表示板３０を組み付けた内筒１２の外筒２０への組み付けが共に容易となり、シリンダ錠１の組立作業効率をより向上させることが可能となる。
【００５６】
[本シリンダ錠の第２実施形態]
本発明のシリンダ錠は、上述した第１実施形態の構成に限定されるものではない。例えば、本発明のシリンダ錠では、表示板及び表示窓を幅方向及び長さ方向に拡大することができるので、これら表示板及び表示窓のデザインの自由度も拡大する。図７は本発明の第２実施形態に係るシリンダ錠２を示すものであり、約１８０°円弧状の表示窓１１ｄを切り欠いた構成となっている。
【００５７】
このような構成からなる本実施形態のシリンダ錠２によれば、特許文献１のシリンダ錠と比較して、表示窓１１ｄ全体の表示面積を２倍以上拡大することができ、斜め方向から見たときでも表示窓１１ｄの色を一見して視認することが可能となる。また、このような表示窓１１ｄ全体の大幅な拡大に伴って、フランジ部１１等の構成要素が大型化することはなく、シリンダ錠２の外形寸法は小さいままでよい。
【符号の説明】
【００５８】
１、２  シリンダ錠
１０  シリンダ錠本体
１１  フランジ部
１１ａ  鍵孔
１１ｂ、１１ｄ  表示窓
１１ｃ  駆動突起
１２  内筒
１２ａ  取付溝
１２ｂ  微小突起
１２ｃ  タンブラー配置溝
１３  タンブラー
１４  駆動ピン
１５  デッドボルト
２０  外筒
２１  意匠部
２２  胴部
２２ａ  収納空間
２２ｂ  載置面
２２ｃ  位置決め突起
２２ｄ  受け溝
２２ｅ  挿通孔
２２ｆ  溝
３０、４０  表示板
３１  垂直部
３１ａ  微小凹部
３２  水平部
３３  正面
３３Ａ  解錠状態表示部
３３Ｂ  施錠状態表示部
【図１】
2011094411.tif 000003
【図２】
2011094411.tif 000004
【図３】
2011094411.tif 000005
【図４】
2011094411.tif 000006
【図５】
2011094411.tif 000007
【図６】
2011094411.tif 000008
【図７】
2011094411.tif 000009